(57)【要約】【課題】  替穂先竿を使用することなく、穂先竿の調子を変更して、釣り操作を容易かつ軽快に行い得る釣り竿を提供する。【解決手段】  穂先竿３の竿線方向における複数箇所に釣り糸ａの一端を取付固定する糸連結体１，５を設ける。糸連結体１，５のうちの主糸連結体１を穂先竿３の竿先端に設け、糸連結体１，５のうちの副糸連結体５を、穂先竿３の竿先端から竿尻側に寄った位置に設けてある。【選択図】        図１
2009247253.tif 000002
【特許請求の範囲】
【請求項１】
穂先竿の竿線方向における複数箇所に釣り糸の一端を取付固定する糸連結体を設けてある釣り竿。
【請求項２】
前記糸連結体のうちの主糸連結体を穂先竿の竿先端に設け、前記主糸連結体を、穂先竿に自身の軸線周りで回転可能に保持される連結部と、竿先端より先側に突出する糸付部とで構成してある請求項１記載の釣り竿  。
【請求項３】
前記糸連結体のうちの副糸連結体を、穂先竿の竿先端から竿尻側に寄った位置に設け、前記副糸連結体を、穂先竿の外周面に突出させた一対の区画壁と一対の区画壁の間において前記外周面に回転自在に外嵌する糸保持回転体とで構成してある請求項１又は２記載の釣り竿。
【発明の詳細な説明】
【技術分野】
【０００１】
本発明は、穂先竿に釣り糸を連結する糸連結体を設けてある釣り竿に関する。
【背景技術】
【０００２】
穂先竿としての穂先部（公報内番号：１）の竿先端に、釣り糸を連結固定する糸連結体としての糸取付部材（公報内番号：４）を設けていた（特許文献１）。
【特許文献１】特開２００７−２８９０１０号公報（段落〔００２２〕〔００２５〕，図１）
【発明の開示】
【発明が解決しようとする課題】
【０００３】
糸取付部材を穂先竿の竿先端だけに設けてあるので、二番竿の竿先端から穂先竿の糸取付部材の位置までの長さを変えて竿の調子を変更し、囮操作等をより軽快に行いたい場合には、穂先竿を長さの異なるものに取り換えていた。
したがって、長さの異なる穂先竿を替穂先竿として釣り場に携行しなければならず、釣り場に持ち込む装備が多くなって移動負担が大きくなる虞があった。
【０００４】
本発明の目的は、替穂先竿を使用することなく、穂先竿の調子を変更して、釣り操作を容易かつ軽快に行い得る釣り竿を提供する点にある。
【課題を解決するための手段】
【０００５】
〔構成〕
請求項１に係る発明の特徴構成は、穂先竿の竿線方向における複数箇所に釣り糸の一端を取付固定する糸連結体を設けてある点にあり、その作用効果は次の通りである。
【０００６】
〔作用〕
穂先竿の複数箇所に糸連結体が設けてあるので、任意の位置の糸連結体を選択して、その選択した糸連結体に釣り糸の一端を取付固定することによって、穂先竿の調子を変更することができ、所望の釣り操作が可能である。
【０００７】
〔効果〕
したがって、穂先竿の調子を変更するのに、替穂先竿と取り替える必要はなく、替穂先竿を準備する必要性はない。
【０００８】
〔構成〕
請求項２に係る発明の特徴構成は、請求項１に係る発明において、前記糸連結体のうちの主糸連結体を穂先竿の竿先端に設け、前記主糸連結体を、穂先竿に自身の軸線周りで回転可能に保持される連結部と、竿先端より先側に突出する糸付部とを一体形成してある点にあり、その作用効果は次の通りである。
【０００９】
〔作用効果〕
主糸連結体は穂先竿の竿先端に設けてあるので、穂先竿の長さを生かして軟調子の状態で囮操作等を行うことができる。しかも、糸付部は穂先竿から更に竿先側に延出されているので、魚信等を減衰させずに穂先竿に伝達し、釣り人の感知能力に寄与するものである。
【００１０】
〔構成〕
請求項３に係る発明の特徴構成は、請求項１又は２に係る発明において、前記糸連結体のうちの副糸連結体を、穂先竿の竿先端から竿尻側に寄った位置に設け、前記副糸連結体を、穂先竿の外周面に突出させた一対の区画壁と一対の区画壁の間において前記外周面に回転自在に外嵌する糸保持回転体とで構成してある点にあり、その作用効果は次の通りである。
【００１１】
〔作用効果〕
穂先竿自体に副糸連結体を主糸連結体とは別に設けることとしたので、穂先竿の竿先端だけではなく、竿先端よりは手元側に近い位置に副糸連結体を設けるこができる。このことによって、釣り糸を竿先端に取り付けた場合に比べて硬調子のものにでき、囮操作に優先して大物等を抜き上げる際に穂先竿の強靭さや力強さを持たせたものにできる。
一方、副糸連結体を設けるに、区画壁を設けて穂先竿の外周面に糸保持回転体を回転可能に保持できるようにしてあるので、簡単な構造で糸連結体を設けることができた。
【発明を実施するための最良の形態】
【００１２】
〔第１実施形態〕
鮎竿や渓流竿などに使用される竿先端部構造について説明する。図１に示すように、穂先竿３は、先細りの中実棒状に形成され、その穂先竿３の先端部に、筒状のホルダー２が外嵌装着され、ホルダー２に糸連結体を構成する主糸連結体１を、穂先竿３の軸線Ｘ周りに相対回動可能に備えて、釣り竿の竿先端部構造を構成している。
【００１３】
図示は省略するが、穂先竿３は、軸線に沿って束ねたガラス強化繊維の束（５００本〜１０００本）に、熱硬化性樹脂を含浸させた後、ダイスより引き抜き、所定長さに裁断して中実棒状に形成し、その先端側ほど細くするための研削加工などを施して形成されている。
【００１４】
ただし、中実棒状のものに限定される訳ではなく、中空体状のものでもよい。また、ガラス繊維だけで構成されるものではなく、ガラス繊維と炭素繊維との混合繊維、或いは、炭素繊維の単独であってもよい。なお、ここでは炭素繊維などに比較して弾性率が低く、柔軟性及び靱性の高いガラス繊維を採用してある。
【００１５】
図１及び図２に示すように、主糸連結体１は、ステンレス又はアルミニウムなどの金属製で、釣り糸ａが結び付けられる小径円柱状の糸付部１Ａと、この糸付部１Ａからの釣り糸ａの抜け落ちを防止する抜止部１Ｂと、筒状ホルダー２に連結される大径円柱状の連結部１Ｃとで形成される。
【００１６】
図２に示すように、筒状のホルダー２は、その先端部に、主糸連結体１の糸付部１Ａが挿通される挿通孔２ｂと、主糸連結体１の連結部１Ｃを抜け止め保持する保持部２Ｂとを備え、その先端部に主糸連結体１の連結部１Ｃを内嵌させた状態で、その竿尻側を穂先竿３の先端側に外嵌した後、その外周面２Ａの所定箇所２Ｃが、穂先竿３に形成した一対の凹部３Ａにカシメ処理によって係入されることで、穂先竿３の先端部に主糸連結体１を穂先竿３の軸線Ｘ周りに相対回動可能に連結保持する。
【００１７】
筒状のホルダー２の内部において、穂先竿３の先端と主糸連結体１の連結部１Ｃとの間には、主糸連結体１の回転抵抗を低減させる硬質のボール４が介装されている。
【００１８】
副糸連結体５の構成について説明する。図１及び図３に示すように、副糸連結体５は、穂先竿３の竿先端から竿尻側に向けて４箇所に設けられている。各箇所での副糸連結体５の構成は同様である。副糸連結体５は、穂先竿３の外周面３Ｂの所定位置に突出させた一対の区画壁５Ｂと一対の区画壁５Ｂの間において外周面に回転自在に外嵌する糸保持回転体５Ａとで構成してある。
【００１９】
区画壁５Ｂは、穂先竿３の軸線方向に所定間隔を開けた状態で一対設けられており、断面三角形の環状体である。竿先側の区画壁５Ｂと竿尻側の区画壁５Ｂとは、互いに穂先竿３の外周面３Ｂから径方向に沿って立設した縦壁面５ｂを互いに向き合う状態に形成されて、糸保持回転体５Ａを装着する空間を確保している。竿先側の区画壁５Ｂにおいては、縦壁面５ｂの竿先側には竿先側に向けて徐々に低くなる傾斜面５ａが形成されており、一方、竿尻側の区画壁５Ｂにおいては、縦壁面５ｂの竿尻側には竿尻側に向けて徐々に低くなる傾斜面５ａが形成されている。このように、傾斜面５ａ、５ｂが形成されているのは、釣り糸ａが区画壁５Ｂに巻き付くことを阻止し、糸保持回転体５Ａを保持する為である。
【００２０】
区画壁５Ｂは、プリプレグ或いは樹脂塗料を盛り上げて形成するか、又は、弾性のゴムをリング状に形成して、所定位置に装着して形成する。ただし、区画壁５Ｂの縦壁面５ｂの先端外径Ｄは、二番竿６の玉口内径より小でなければならない。
【００２１】
糸保持回転体５Ａは少なくとも竿先側の区画壁５Ｂを形成する前に所定位置に装着する必要がある。糸保持回転体５Ａは、断面チャンネル状の回転体であり、断面チャンネル状の凹入空間に釣り糸ａの連結空間を形成している。糸保持回転体５Ａは、釣り糸ａを装着した状態で糸が絡みつかないように穂先竿３の外周面を回転するものであるが必ずしも回転するものである必要はない。
糸保持回転体５Ａの材質は、チタンやアルミ等の軽量金属が採用される。
【００２２】
以上のように、主糸連結体１と副糸連結体５とを合計５箇所に設けて、釣り糸ａの連結位置を任意に選択できるように構成し、替穂先を用意する必要性を無くすものである。
鮎竿として使用して、囮鮎を自由に操る場合には、主糸連結体１や副糸連結体５の内の竿先側近くに配置されたものに釣り糸ａを括りつける。
大物を狙う場合には、負荷に耐えやすい竿尻側の副糸連結体５に釣り糸ａを括りつける。
【００２３】
このように、釣り糸ａの括り付け位置を釣り人の好み等に応じて任意に選択することができ、釣り操作性の向上を図るとともに、穂先竿３を長さの異なるものに取り替える必要もないのである。
【００２４】
〔第２実施形態〕
この実施形態では、図４に示すように、穂先竿３が複数段階に伸縮可能な構成を採る形態について説明する。
つまり、主糸連結体１を備えた第１穂先部３ａ、最も竿先側に位置する副糸連結体５を備えた第２穂先部３ｂ、次に竿先側に位置する副糸連結体５を備えた第３穂先部３ｃ、竿尻側に位置する副糸連結体５を備えた第４穂先部３ｄ、最も竿尻側に位置する副糸連結体５を備えた第５穂先部３ｅとに、穂先竿３を分割構成する。
第１穂先部３ａ〜第５穂先部３ｅまでの各先端部には、副糸連結体５が設けてあり、釣り糸ａの括り付け位置を変更可能に構成してある。
【００２５】
以上のような構成によって、図４（ａ）に示すように、第１穂先部３ａは第２穂先部３ｂ内に収納可能であり、第２穂先部３ｂは第３穂先部３ｃ内に収納可能であり、第１穂先部３ａから第４穂先部３ｄまでの小径竿体を順次大径竿体内に収納可能である。この収納状態を維持するために、大径竿体の竿尻端部の内部空間に小径竿体の竿尻端部を内嵌合して嵌合状態を保持する嵌合保持機構Ａが設けてある。
【００２６】
したがって、第１穂先部３ａの竿尻端部を第２穂先部３ｂの嵌合保持機構Ａ内に内嵌させることによって、第１穂先部３ａを第２穂先部３ｂ内に収納保持できる。同様に、第２穂先部３ｂの竿尻端部を第３穂先部３ｃの嵌合保持機構Ａ内に内嵌させることによって、第２穂先部３ｂを第３穂先部３ｃ内に収納保持できる。このように、順番に小径竿体を大径竿体内に収納保持することができる。
【００２７】
一方、第１穂先部３ａの竿尻端外周面と第２穂先部３ｂの竿先端内周面とは互いに嵌合して第１穂先部３ａの伸長状態を保持すべく、第１穂先部３ａの竿尻端外周面と第２穂先部３ｂの竿先端内周面とは圧接可能に構成してある。このような構成によって、図４（ｂ）に示すように、第１穂先部３ａを第２穂先部３ｂから引き出した伸長状態に保持できる。
第２穂先部３ｂから第４穂先部３ｄまでの竿体も、同様に、第３穂先部３ｃから第５穂先部３ｅまでの竿体から引き出した伸長状態に保持可能である。したがって、第１穂先部３ａから第５穂先部３ｅまでの竿体も伸縮式振出竿に構成してある。
【００２８】
このような構成を採ることによって、副糸連結体５のいずれかのものに釣り糸ａを括り付けた場合に、例えば、その括り付け位置が第４穂先部３ｄに装着した副糸連結体５であれば、第１穂先部３ａを第２穂先部３ｂに収納し、第１穂先部３ａを収納した第２穂先部３ｂを第３穂先部３ｃに収納し、第１穂先部３ａ及び第２穂先部３ｂを収納した第３穂先部３ｃを第４穂先部３ｄ内に収納する。
これによって、釣り糸ａを括り付けた第４穂先部３ｄより先端側の第１穂先部３ａから第３穂先部３ｃまでの竿体を第４穂先部３ｄ内に収納できるので、第１穂先部３ａから第３穂先部３ｃまでの竿体が釣り操作の邪魔になり難い。
【００２９】
〔別実施形態〕
〔１〕糸連結体としては、穂先竿の竿先端から竿尻側に寄った位置に設けられる副糸連結体５のみで構成してもよい。
【００３０】
〔２〕副糸連結体５を構成するに、糸保持回転体５Ａを回転自在に保持するのに、穂先竿３の外周面３Ｂに区画壁５Ｂを立設する代わりに、軸用止め輪を外周面３Ｂに装着してもよい。このように軸用止め輪を導入すれば、糸保持回転体５Ａの取り外しが容易に行える。
【００３１】
〔３〕主糸連結体１としては、穂先竿３の先端部に、穂先竿３の軸心Ｘ周りに相対回動不能に固定装備したものであってもよい。
【００３２】
〔４〕主糸連結体１に採用する材質として種々の変更が可能であり、例えば、金属材の他に硬質樹脂材などを採用するようにしてもよい。
【図面の簡単な説明】
【００３３】
【図１】鮎竿等の穂先竿を示す側面図
【図２】主糸連結体を示す縦断側面図
【図３】副糸連結体を示す縦断側面図
【図４】（ａ）穂先竿を構成する各穂先部を収縮した状態を示す側面図、（ｂ）各穂先部を伸長した状態を示す側面図
【符号の説明】
【００３４】
１          主連結体（糸連結体）
１Ａ        糸付部
１Ｃ        連結部
３          穂先竿
３Ｂ        外周面
５          副糸連結体（糸連結体）
５Ａ        糸保持回転体
５Ｂ        区画壁
【図１】
2009247253.tif 000003
【図２】
2009247253.tif 000004
【図３】
2009247253.tif 000005
【図４】
2009247253.tif 000006